(57)【要約】【課題】プラスチック基板等のフレキシブル性を有する基板を、簡易、かつ確実に収納、保持し得るフレキシブル基板収納具及びフレキシブル基板収納方法を提供する。【解決手段】収納本体１の外形を構成する相対向する少なくとも一対の側面板３ａ・３ａが、フレキシブル性を有する複数の基板４を挟持することにより湾曲させて収納するように、その収納本体幅Ｗａを一定に保って設けられている。【選択図】  図１
2004250084.tif 000002
【特許請求の範囲】
【請求項１】
収納本体の外形を構成する相対向する少なくとも一対の対向部材が、フレキシブル性を有する複数の基板を挟持することにより湾曲させて収納するように、その間隔を一定に保って設けられていることを特徴とするフレキシブル基板収納具。
【請求項２】
前記一対の対向部材における基板の収納状態での間隔は、挟持される基板の挟持方向長さよりも短いことを特徴とする請求項１記載のフレキシブル基板収納具。
【請求項３】
前記各対向部材には、前記複数の基板を並べて保持するための保持部が形成されていることを特徴とする請求項１又は２記載のフレキシブル基板収納具。
【請求項４】
前記保持部は、対向部材に対して直角とは異なるように基板を保持すべく形成されていることを特徴とする請求項３記載のフレキシブル基板収納具。
【請求項５】
前記一対の対向部材は、前記基板の出し入れ時にはその間隔が広がるように変更可能となっていることを特徴とする請求項１〜４のいずれか１項に記載のフレキシブル基板収納具。
【請求項６】
前記一対の対向部材のうちの少なくとも一方の対向部材の保持部には、各基板用屈曲部が形成されていることを特徴とする請求項５記載のフレキシブル基板収納具。
【請求項７】
前記一対の対向部材には、前記基板の挿入方向奥側に奥底板が設けられているとともに、
上記奥底板には、上記基板の湾曲を案内する挿入溝が形成されていることを特徴とする請求項１〜６のいずれか１項に記載のフレキシブル基板収納具。
【請求項８】
前記一対の対向部材には、前記基板の挿入方向奥側に奥底板が設けられているとともに、
上記奥底板には、上記基板の湾曲を案内する突起が複数個形成されていることを特徴とする請求項１〜６のいずれか１項に記載のフレキシブル基板収納具。
【請求項９】
前記基板は、立設して収納されることを特徴とする請求項１〜８のいずれか１項に記載のフレキシブル基板収納具。
【請求項１０】
前記一対の対向部材は、平板であることを特徴とする請求項１〜９のいずれか１項に記載のフレキシブル基板収納具。
【請求項１１】
収納本体の外形を構成する相対向する少なくとも一対の対向部材にて、フレキシブル性を有する複数の基板を挟持することにより湾曲させて収納することを特徴とするフレキシブル基板収納方法。
【請求項１２】
前記一対の対向部材おける基板の収納状態での間隔を、前記挟持される基板の挟持方向長さよりも短くすることを特徴とする請求項１１記載のフレキシブル基板収納方法。
【発明の詳細な説明】
【０００１】
【発明の属する技術分野】
本発明は、液晶表示用、エレクトロルミネッセント表示用、プラズマ表示用、蛍光表示管用、カラーフィルター用、太陽電池用等として使用されるフレキシブル性を有する薄板状の各種基板や各種シート等の基板（例えば、ガラス基板、プラスチック基板、金属箔等）、又はこれらの基板を用いて製造した完成パネル等を収納するためのフレキシブル基板収納具及びフレキシブル基板収納方法に関する。
【０００２】
【従来の技術】
液晶表示装置は、各種ＯＡ機器端末機や液晶テレビ等に応用される現在最も普及している平面薄型の表示装置である。液晶表示装置には一般にガラス基板が使用されるが、ガラス基板メーカー及び液晶パネルメーカー相互間におけるガラス基板（完成パネル含む）の収納・搬送のために、樹脂発泡体で構成されるガラス基板用収納容器が広く使用されている。
【０００３】
例えば特許文献１には、有底の容器本体と蓋体とからなり、容器本体の相対向する一対の側板には、ガラス基板を縦姿勢又は横姿勢でかつ互いに接触しないように平行保持するために保持部を形成したガラス基板収納容器について開示されている。
【０００４】
具体的には、図１５（ａ）（ｂ）に示すように、液晶ディスプレイ産業で特に広く使用されている０．７ミリ厚又は１．１ミリ厚等のガラス基板１０４は、基板収納容器１０１に収納・保管される。この基板収納容器１０１には、上記ガラス基板１０４を縦姿勢で互いに接触しないよう平行保持するために、内側の一対の面に保持部１０３・１０３が設けられている。そして、１枚のガラス基板１０４は、対向する２つの保持部１０３・１０３の間に挿入されることにより、基板収納容器１０１内において保持・収納されるようになっている。
【０００５】
ここで、図１６に示すように、上記保持部１０３と基板収納容器１０１の内側側面とのなす角度である保持角度θａは、通常、９０°となっている。
【０００６】
また、例えば特許文献２には、図１７に示すように、サイズの異なるＬＣＤパネルを横向きにして容器に複数枚収納する場合に、少なくとも一方の側壁に、下向きに傾斜する保持部を形成することが記載されている。なお、同図に示すＬＣＤパネルは、湾曲しているがこれは自重によるものである。また、同図に示すＬＣＤパネルは、保持部に架けられているだけであり、ＬＣＤパネルの端部は容器の側面壁には接していない。
【０００７】
一方、例えば特許文献３には、保持する基板の大きさに合わせて、基板用カセットの幅を伸縮できる構造としたものが開示されている。
【０００８】
【特許文献１】
特開平７−１３２９８６号公報（１９９５年５月２３日公開）
【０００９】
【特許文献２】
特開平１０−１２００７４号公報（１９９８年５月１２日公開）
【００１０】
【特許文献３】
特開平１０−３２２０５６号公報（１９９８年１２月４日公開）
【００１１】
【発明が解決しようとする課題】
ところで、近年液晶パネルの軽量化、低コスト化に関する研究開発が盛んに行われており、液晶パネルを構成する基板として、上記厚みよりもさらに薄いガラス基板又はプラスチック基板等のフレキシブル性を有する基板を用いることが検討されている。
【００１２】
しかしながら、このような薄い基板は、上記厚みを持つガラス基板よりも柔軟性が大きく曲げ剛性が小さいために、上記のような基板収納容器１０１に収納すると基板が平坦形状を維持できない、及び安定して自立し難い（或いは自立できない）等の問題を生じることがある。
【００１３】
また、上述したように、保持部１０３の保持角度θａは９０°であるが、この保持角度θａは基板が平坦形状を維持し基板収納容器１０１内において安定して自立することが前提となっており、フレキシブル性を有する基板を特別に考慮したものにはなっていない。
【００１４】
以上のような状況から、従来のガラス基板収納容器にフレキシブル性を有する基板を収納する場合、基板が保持部１０３から外れて安定に保持されない、基板の一部が折れ曲がる、及び隣り合う基板が接触してしまう等の問題が生じてくる。
【００１５】
本発明は、上記従来の問題点に鑑みなされたものであって、その目的は、プラスチック基板等のフレキシブル性を有する基板を、簡易、かつ確実に収納、保持し得るフレキシブル基板収納具及びフレキシブル基板収納方法を提供することにある。
【００１６】
【課題を解決するための手段】
本発明のフレキシブル基板収納具は、上記課題を解決するために、収納本体の外形を構成する相対向する少なくとも一対の対向部材が、フレキシブル性を有する複数の基板を挟持することにより湾曲させて収納するように、その間隔を一定に保って設けられていることを特徴としている。
【００１７】
また、本発明のフレキシブル基板収納方法は、上記課題を解決するために、収納本体の外形を構成する相対向する少なくとも一対の対向部材にて、フレキシブル性を有する複数の基板を挟持することにより湾曲させて収納することを特徴としている。
【００１８】
なお、本発明において、挟持とは、収納本体の外形を構成する相対向する少なくとも一対の対向部材にて、基板の軸方向に圧縮力を加えて強制的に挟み持つことをいう。この場合、フレキシブル性を有する基板は、軸方向の圧縮力を受けるので、湾曲して撓む。したがって、基板を横置きしたときに、基板が自重で撓んで湾曲するのは、本発明に含まれない。
【００１９】
上記の発明によれば、フレキシブル性を有する複数の基板が、湾曲した状態で収納される。このため、基板の曲げ剛性が大きくなることにより基板がもつ柔軟性が低減され、いわゆる腰が出てくる状態となる。その結果、基板自身が自立し易くなりフレキシブル基板収納具内で安定した収納が可能となる。
【００２０】
この結果、プラスチック基板等のフレキシブル性を有する基板を、簡易、かつ確実に収納、保持し得るフレキシブル基板収納具及びフレキシブル基板収納方法を提供することができる。
【００２１】
また、本発明のフレキシブル基板収納具は、前記記載のフレキシブル基板収納具において、前記一対の対向部材における基板の収納状態での間隔は、挟持される基板の挟持方向長さよりも短いことを特徴としている。
【００２２】
また、本発明のフレキシブル基板収納方法は、前記記載のフレキシブル基板収納方法において、前記一対の対向部材おける基板の収納状態での間隔を、前記挟持される基板の挟持方向長さよりも短くすることを特徴としている。
【００２３】
上記の発明によれば、一対の対向部材における基板の収納状態での間隔は、挟持される基板の挟持方向長さよりも短い。したがって、基板を収納すると、必然的に基板が湾曲する。
【００２４】
この結果、収納される基板を容易に、かつ簡易な構造で湾曲させるフレキシブル基板収納具及びフレキシブル基板収納方法を提供することができる。
【００２５】
また、本発明のフレキシブル基板収納具は、前記記載のフレキシブル基板収納具において、前記各対向部材には、前記複数の基板を並べて保持するための保持部が形成されていることを特徴としている。
【００２６】
上記の発明によれば、各対向部材には、複数の基板を並べて保持するための保持部が形成されているので、複数の基板を並べて、整理された状態で収納することができる。
【００２７】
また、本発明のフレキシブル基板収納具は、前記記載のフレキシブル基板収納具において、前記保持部は、対向部材に対して直角とは異なるように基板を保持すべく形成されていることを特徴としている。
【００２８】
上記の発明によれば、保持部は、対向部材に対して直角とは異なるように基板を保持すべく形成されている。このため、対向する一対の対向部材と保持部とのなす角度を９０°以外とすることにより、湾曲した基板が保持部に沿うようになる。この結果、基板の湾曲形状をより維持し易くなり、基板と保持部との接触箇所において双方にかかる負荷も低減される。また、接触面における双方の摩擦等による発塵を抑制することができる。
【００２９】
また、本発明のフレキシブル基板収納具は、前記記載のフレキシブル基板収納具において、前記一対の対向部材は、前記基板の出し入れ時にはその間隔が広がるように変更可能となっていることを特徴としている。
【００３０】
上記の発明によれば、一対の対向部材は、前記基板の出し入れ時にはその間隔が広がるように変更可能となっていることにより、基板を出し入れするときには、湾曲される基板を平坦状にして出し入れすることができる。
【００３１】
この結果、基板を湾曲させて挿入するのではなく、通常の平坦状の基板の状態で挿入することができるので、基板を容易に出し入れすることができる。
【００３２】
また、本発明のフレキシブル基板収納具は、前記記載のフレキシブル基板収納具において、前記一対の対向部材のうちの少なくとも一方の対向部材の保持部には、各基板用屈曲部が形成されていることを特徴としている。
【００３３】
上記の発明によれば、一対の対向部材のうちの少なくとも一方の対向部材の保持部には、各基板用屈曲部が形成されているので、保持部の自由端側を基板の挿入方向と平行となるようにすることが可能となる。
【００３４】
この結果、前記基板の出し入れ時に、一対の対向部材の間隔を広げたときに、確実に、湾曲される基板を平坦状にして出し入れすることができる。したがって、確実に、基板を容易に出し入れすることができる。
【００３５】
また、本発明のフレキシブル基板収納具は、前記記載のフレキシブル基板収納具において、前記一対の対向部材には、前記基板の挿入方向奥側に奥底板が設けられているとともに、上記奥底板には、上記基板の湾曲を案内する挿入溝が形成されていることを特徴としている。
【００３６】
上記の発明によれば、奥底板には、基板の湾曲を案内する挿入溝が形成されている。したがって、基板を収納したときに、基板の挿入方向奥側の辺を挿入溝に挿入することにより、基板の挿入方向奥側に対しても保持機能が備わり、基板はより安定に収納されるようになる。
【００３７】
また、本発明のフレキシブル基板収納具は、前記記載のフレキシブル基板収納具において、前記一対の対向部材には、前記基板の挿入方向奥側に奥底板が設けられているとともに、上記奥底板には、上記基板の湾曲を案内する突起が複数個形成されていることを特徴としている。
【００３８】
上記の発明によれば、奥底板には、基板の湾曲を案内する突起が複数個形成されている。したがって、基板を収納したときに、基板の挿入方向奥側の辺を突起の側面に当接させることにより、基板の挿入方向奥側に対しても保持機能が備わり、基板はより安定に収納されるようになる。
【００３９】
また、本発明のフレキシブル基板収納具は、前記記載のフレキシブル基板収納具において、前記基板は、立設して収納されることを特徴としている。
【００４０】
上記の発明によれば、基板が立設して収納されるので、平坦状の基板を収納するときに、湾曲により基板の剛性が大きくなる。このため、基板を安定して自立させることができ、特に、フレキシブル基板収納具に基板を収納して持ち運びする場合には、有用である。
【００４１】
また、本発明のフレキシブル基板収納具は、前記記載のフレキシブル基板収納具において、前記一対の対向部材は、平板であることを特徴としている。
【００４２】
上記の発明によれば、一対の対向部材は、平板であるので、フレキシブル基板収納具を、フレキシブル基板収納容器として形成することができる。
【００４３】
この結果、持ち運びが容易なフレキシブル基板収納容器を提供することができる。
【００４４】
【発明の実施の形態】
〔実施の形態１〕
本発明の実施の一形態について図１ないし図５に基づいて説明すれば、以下の通りである。
【００４５】
本実施の形態のフレキシブル基板収納容器１０は、図２に示すように、有底のフレキシブル基板収納具としての収納本体１と蓋部２とからなっており、相対向する少なくとも一対の対向部材としての側面板３ａ・３ａが、これら側面板３ａ・３ａの間隔を一定に保つように他方の側面板３ｂ・３ｂに支持されて設けられている。
【００４６】
上記収納本体１には、図３に示すように、フレキシブル性を有する複数の基板４が縦姿勢で挿入されて収納されるようになっている。例えば、液晶ディスプレイ製造ライン等では、このような収納本体１に、１０枚から数１０枚程度のフレキシブル基板としての薄型ガラス基板が収納される。なお、本発明では、フレキシブル基板は、必ずしも薄型ガラス基板に限らず、プラスチック基板等のフレキシブル性を有する基板であればよい。例えば、本実施の形態の基板４は、樹脂材又は樹脂と無機との複合材で構成されたプラスチック基板であり、サイズが３６０ｍｍ×４６５ｍｍ、厚みが０．２ｍｍである。また、このプラスチック基板に窒化シリコン膜の付いた基板４であっても良い。なお、サイズ及び厚みは、本発明では限定されない。
【００４７】
ここで、本実施の形態の収納本体１では、図１（ａ）（ｂ）（ｃ）（ｄ）に示すように、上記一対の側面板３ａ・３ａが基板４を挟持することにより湾曲させるようになっている。なお、挟持とは、保持とは異なる概念である。挟持は、２つの相対する方向から挟みつけて保持することをいう。また、保持は、単に支持する程度の概念である。
【００４８】
すなわち、本実施の形態では、基板４を強制的に湾曲させて収納するようになっており、そのための構成として、一対の側面板３ａ・３ａの間隔である収納本体幅Ｗａが、上記基板４の基板長さＷｓよりも短くなっている。なお、この基板長さＷｓは、挟持される基板４の挟持方向長さをいう。また、収納本体幅Ｗａについても、収納本体１における、基板４の挟持方向幅をいう。
【００４９】
このように、基板４を湾曲させる理由は、基板４が薄い場合には、柔軟性が大きく曲げ剛性が小さいために、垂直平面状態にて収納本体１に基板４を収納すると、基板４が平坦形状を維持できない、及び安定して自立し難い（或いは自立できない）等の問題を生じることがあるためである。
【００５０】
本実施の形態では、基板４を湾曲させて収納することによって、曲げ剛性を大きくすることができるので、基板４自身が自立し易くなり、収納本体１内で安定した収納が可能となる。
【００５１】
詳述すると、基板４の断面形状が長方形よりも湾曲状の方が断面二次モーメントＩは大きくなる。ここで、断面二次モーメントＩは、材料力学等で用いられる量であり、力学的条件や材質とは無関係に物体の断面形状のみで決定されるものである。
【００５２】
その結果、物体の曲げ難さを表す指標である曲げ剛性（＝縦弾性係数Ｅ×断面二次モーメントＩ）が大きくなるので、基板４は曲がり難くなる。すなわち、基板４がもつ柔軟性が低減され、いわゆる腰が出てくる状態となる。したがって、基板４自身が自立し易くなり、収納本体１内で安定した収納が可能となる。
【００５３】
なお、本実施の形態では、基板４を側面板３ａ・３ａにて挟持することにより、強制的に基板４を湾曲させている。したがって、自重により基板４が湾曲することは含まない。
【００５４】
また、本実施の形態では、収納本体１の側面板３ａ・３ａには、同図１（ａ）（ｂ）（ｃ）（ｄ）に示すように、上記フレキシブル性を有する複数の基板４を縦姿勢で収納したときに、これら基板４…が互いに接触しないように湾曲に平行保持するために、複数の基板保持面６…を備えた保持部５が形成されている。
【００５５】
そして、本実施の形態では、上記側面板３ａ・３ａに形成された保持部５の基板保持面６は、図４に示すように、湾曲した基板４が沿うように、側面板３ａ・３ａとのなす角度である保持角度θａが９０°以外となるようにしている。つまり、保持部５の基板保持面６の保持角度θａは、側面板３ａ・３ａに対して直角とは異なるように基板４を保持すべく形成されている。
【００５６】
上述したように、平坦板を湾曲させると曲げ剛性が大きくなるので、湾曲した基板４は湾曲していない基板４よりも自立し易いという理論的な観点からすると、保持角度θａが９０°以外、つまり保持角度θａは０°＜θａ＜８９°又は９１°＜θａ＜１８０°となる。
【００５７】
しかしながら、この基板４はガラスやプラスチックからなり、かつこの基板４は、例えば液晶ディスプレイ製造ラインに用いられるものである。このため、基板４を湾曲し過ぎると、基板４が損傷するとともに反発力も大きくなる。そこで、本実施の形態では、後述する実施例の結果から、保持角度θａは、２０°〜７５°が好ましいとしている。
【００５８】
また、この保持角度θａが２０°〜７５°となるように基板４を湾曲させるためには、基板長さＷｓと収納本体幅Ｗａとの関係は、２１０／３６０＜Ｗａ／Ｗｓ＜３５８／３６０とするのが好ましい。
【００５９】
この保持角度θａ又は基板長さＷｓと収納本体幅Ｗａとの関係によって、基板４が、損傷することなくかつ湾曲状を維持し易くなり、基板４と保持部５との接触箇所において双方にかかる負荷も低減される。
【００６０】
例えば、基板４として、基板長さＷｓを３６０ｍｍ、収納本体幅Ｗａを３４０ｍｍ、隣接する２つの保持部５・５の溝間隔Ｗｈを２ｍｍ、保持部５の保持長さＷｂを８ｍｍ、基板保持面６の保持角度θａを６０°として、３６０ｍｍ×４６５ｍｍのプラスチック基板を隣り合う基板保持面６・６に２枚収納したところ、いずれの基板４・４も収納本体１内で安定性良く自立して、互いに接触することなく収納することができた。
【００６１】
次に、上記２枚のプラスチック基板からなる基板４上に、アモルファスシリコンＴＦＴ（Ｔｈｉｎ  Ｆｉｌｍ  Ｔｒａｎｓｉｓｔｏｒ：薄膜トランジスタ）液晶ディスプレイのゲート絶縁膜用や保護膜用として一般的に用いられる窒化シリコン膜を形成した。なお、窒化シリコン膜は、プラズマＣＶＤ法を用いて成膜温度２００℃にて形成した。この方法により形成した窒化シリコン膜は、膜厚が３５０ｎｍ、膜応力が＋２７０Ｍｐａ（引っ張り応力）であった。
【００６２】
上記窒化シリコン膜が形成されたプラスチック基板からなる基板４の１つの短辺（３６０ｍｍ）の隅を手で持ち、長辺方向（４６５ｍｍ）を垂直に吊るした状態にすると、基板４は膜面を凹にして２５ｍｍ程度反った。
【００６３】
そして、収納本体１の収納本体幅Ｗａを３４０ｍｍ、隣り合う２つの保持部５・５の溝間隔Ｗｈを２ｍｍ、保持部５の保持長さＷｂを８ｍｍ、及び保持部５における基板保持面６の保持角度θａを６０°とした収納本体１に、上記窒化シリコン膜の付いたプラスチック基板である基板４を膜面が凸に湾曲した状態で２枚収納したところ、いずれの基板４も収納本体１内で安定性良く自立して、互いに接触することなく収納することができた。また、基板４を収納本体１内に収納した後に、窒化シリコン膜が剥離する等の問題も発生しなかった。
【００６４】
以上のように、基板４が自立し易くなり安定性が増した結果、収納本体１内において、基板４が折れ曲がる、基板４が自立しない、基板４が保持部５から外れる、隣り合う基板４・４同士が接触して汚損される、等の不具合を防止することができる。
【００６５】
したがって、この構造の収納本体１は、フレキシブル性を有するプラスチック基板、及び窒化シリコン膜の付いたプラスチック基板を収納するのに好適であるといえる。
【００６６】
なお、本実施の形態においては、基板４を収納本体１に対して縦方向に立設するように収納したが、必ずしもこれに限定されず、例えば、図５に示すように、基板４を横方向に収納する収納本体１とすることも可能である。これによっても、基板４を横方向に湾曲した状態で安定して収納するができる。
【００６７】
このように、本実施の形態の収納本体１は、収納本体１の外形を構成する相対向する少なくとも一対の側面板３ａ・３ａが、フレキシブル性を有する複数の基板４…を挟持することにより湾曲させて収納するように、その間隔を一定に保って設けられている。
【００６８】
また、本実施の形態のフレキシブル基板収納方法は、収納本体１の外形を構成する相対向する少なくとも一対の側面板３ａ・３ａにて、フレキシブル性を有する複数の基板４…を挟持することにより湾曲させて収納する。
【００６９】
これによれば、フレキシブル性を有する複数の基板４…が、湾曲した状態で収納される。このため、基板４…の曲げ剛性が大きくなることにより基板４がもつ柔軟性が低減され、いわゆる腰が出てくる状態となる。その結果、基板４自身が自立し易くなり収納本体１内で安定した収納が可能となる。
【００７０】
この結果、プラスチック基板等のフレキシブル性を有する基板４を、簡易、かつ確実に収納、保持し得る収納本体１及びフレキシブル基板収納方法を提供することができる。
【００７１】
また、本実施の形態の収納本体１は、一対の側面板３ａ・３ａにおける基板４の収納状態での間隔である収納本体幅Ｗａは、挟持される基板４の挟持方向長さである基板長さＷｓよりも短い。
【００７２】
また、本実施の形態のフレキシブル基板収納方法は、一対の側面板３ａ・３ａおける基板４の収納状態での間隔である収納本体幅Ｗａを、挟持される基板４の挟持方向長さである基板長さＷｓよりも短くする。
【００７３】
したがって、基板４を収納すると、必然的に基板４が湾曲する。この結果、収納される基板４を容易に、かつ簡易な構造で湾曲させる収納本体１及びフレキシブル基板収納方法を提供することができる。
【００７４】
また、本実施の形態の収納本体１では、各側面板３ａ・３ａには、複数の基板４…を並べて保持するための保持部５が形成されているので、複数の基板を並べて、整理された状態で収納することができる。
【００７５】
また、本実施の形態の収納本体１では、保持部５は、側面板３ａ・３ａに対して直角とは異なるように基板４を保持すべく形成されている。このため、対向する一対の側面板３ａ・３ａと保持部５の基板保持面６とのなす角度を９０°以外とすることにより、湾曲した基板４が保持部５に沿うようになる。この結果、基板４の湾曲形状をより維持し易くなり、基板４と保持部５との接触箇所において双方にかかる負荷も低減される。また、接触面における双方の摩擦等による発塵を抑制することができる。
【００７６】
また、本実施の形態の収納本体１では、基板４が立設して収納されるので、平坦状の基板４を収納するときに、湾曲により基板４の剛性が大きくなる。このため、基板４を安定して自立させることができ、特に、収納本体１に基板４…を収納して持ち運びする場合には、有用である。
【００７７】
また、本実施の形態の収納本体１では、一対の側面板３ａ・３ａは、平板であるので、収納本体１を、フレキシブル基板収納容器として形成することができる。
【００７８】
この結果、持ち運びが容易なフレキシブル基板収納容器を提供することができる。
【００７９】
〔実施の形態２〕
本発明の他の実施の形態について図６及び図７に基づいて説明すれば、以下の通りである。なお、説明の便宜上、前記の実施の形態１の図面に示した部材と同一の機能を有する部材については、同一の符号を付し、その説明を省略する。
【００８０】
本実施の形態のフレキシブル基板収納具としての基板収納用カセット２０（実施の形態１の収納本体１に相当）は、図６（ａ）に示すように、基板４を横方向に収納するものとなっているとともに、一対の対向部材としての接続棒２３ａ・２３ａが、基板４の出し入れ時にはその間隔が広がるように変更可能となっている。なお、その他の構成は、基本的に実施の形態１と同様である。
【００８１】
すなわち、上記基板収納用カセット２０は、底板２７ａ・２７ｂに８本の接続棒２３ａ・２３ａを立設固定し、その上に、天板２８ａ・２８ｂを取り付けて、カセット外形を形成している。したがって、本実施の形態では、相対向する少なくとも一対の接続棒２３ａ・２３ａがこれら接続棒２３ａ・２３ａの間隔を一定に保つように底板２７ａ・２７ｂ及び天板２８ａ・２８ｂによって支持されて設けられている。
【００８２】
本実施の形態では、上記底板２７ａ・２７ｂ及び天板２８ａ・２８ｂは、いずれも伸縮が可能な構造となっている。これにより、一対の対向部材である接続棒２３ａ・２３ａは、基板４の出し入れ時にはその間隔が広がるように変更可能とするものである。
【００８３】
具体的には、基板４が収納されているときの底板２７ａ・２７ｂ及び天板２８ａ・２８ｂが縮んだ状態では、基板収納用カセット２０のカセット内部幅はＷｃである一方、基板４を収納するときの底板２７ａ・２７ｂ及び天板２８ａ・２８ｂが伸びた状態では、基板収納用カセット２０のカセット内部幅はＷｄとなる。
【００８４】
したがって、当然、カセット内部幅Ｗｃ＜カセット内部幅Ｗｄである。なお、カセット内部幅Ｗｃ及びカセット内部幅Ｗｄは、いずれも基板４の挟持方向の幅である。
【００８５】
また、本実施の形態では、カセット内部幅Ｗｃとなっているときに、この接続棒２３ａ・２３ａによって、基板４を湾曲させるように挟持するようになっている。したがって、基板長さＷｓ＜カセット内部幅Ｗｃである。
【００８６】
また、本実施の形態では、カセット外形部材である接続棒２３ａ・２３ａの相対する一面に、フレキシブル基板からなる基板４を保持するための保持部５を形成し、その保持部５に基板保持面６…を複数個、等間隔に並べて設けている。
【００８７】
なお、上記底板２７ａ・２７ｂ及び天板２８ａ・２８ｂは、図６（ａ）（ｂ）に示すように、雄雌関係を有してスライド自在となっており、底板２７ｂ及び天板２８ｂに形成された凹部に、底板２７ａ及び天板２８ａに形成された凸部が挿入自在となっている。また、底板２７ａ・２７ｂ同士及び天板２８ａ・２８ｂ同士は、例えば、それぞれ図示しないバネによって、底板２７ａ・２７ｂ同士及び天板２８ａ・２８ｂ同士がそれぞれ縮む方向に引っ張られている。ただし、必ずしもバネを使用しなくても、底板２７ａ・２７ｂ同士及び天板２８ａ・２８ｂ同士が自由に引き出せる構造とし、底板２７ａ・２７ｂ同士及び天板２８ａ・２８ｂ同士が縮んだときに、例えば、図示しないロックピンを挿入してロックする構造としてもよい。
【００８８】
上記保持部５の基板保持面６は、前記実施の形態１と同様に、図７に示すように、まず、湾曲した基板４が沿うように、接続棒２３ａ・２３ａとのなす角度である保持角度θａが９０°以外となるようにしている。つまり、保持部５の基板保持面６の保持角度θａは、接続棒２３ａ・２３ａに対して直角とは異なるように基板４を保持すべく形成されている。
【００８９】
具体的には、保持角度θａは０°＜θａ＜８９°又は９１°＜θａ＜１８０°である。なお、この保持角度θａについても、実施の形態１と同様に、後述する実施例の結果から、保持角度θａは、２０°〜７５°が好ましいとする。また、これに伴い、実施の形態１と同様に、この保持角度θａが２０°〜７５°となるように基板４を湾曲させるためには、基板長さＷｓとカセット内部幅Ｗｃとの関係は、２１０／３６０＜Ｗｃ／Ｗｓ＜３５８／３６０とするのが好ましい。
【００９０】
これにより、基板４が湾曲形状をより維持し易くなり、基板４と保持部５との接触箇所において双方にかかる負荷も低減される。
【００９１】
一方、本実施の形態における保持部５の基板保持面６には、同図に示すように、さらに、各基板用屈曲部としての屈曲部７が形成されている。この屈曲部７の屈曲角度θｂは、１８０°とは異なる角度となっている。これにより、基板保持面６に屈曲部分を設けることができる。
【００９２】
この結果、保持部５の基板保持面６には、固定端側保持面６ａ及び自由端側保持面６ｂが存在することになる。なお、この屈曲部７の屈曲角度θｂは、上記自由端側保持面６ｂが、基板４の挟持方向とほぼ平行になるのが好ましい。
【００９３】
これら固定端側保持面６ａ及び自由端側保持面６ｂの機能の違いについて、上記基板収納用カセット２０の収納動作を説明することにより行う。
【００９４】
まず、基板４を基板収納用カセット２０に収納するときには、図６（ａ）に示すように、底板２７ａ・２７ｂ及び天板２８ａ・２８ｂを引き伸ばす。
【００９５】
このとき、カセット内部幅はＷｄとなっており、基板長さＷｓよりも大きい状態である。このため、基板４を基板収納用カセット２０に収納する場合には、平坦状の基板４における挟持方向の両端を基板保持面６の入り口側に載置する。このとき、相対向する基板保持面６・６の各自由端側保持面６ｂは、基板４の挟持方向とほぼ平行となっているので、平坦状の基板４は、その平坦性が維持された状態でその裏面が各自由端側保持面６ｂに接触し、これにより、基板保持面６・６の各自由端側保持面６ｂに保持される。
【００９６】
この結果、平坦状の基板４を、スライドさせることにより、基板収納用カセット２０の奥方へ、容易に挿入することができる。
【００９７】
次に、この状態で、底板２７ａ・２７ｂ及び天板２８ａ・２８ｂを縮める。なお、この縮める動作は、図示しないバネによって自動的に行われる。したがって、挿入後、これらが直ちに縮まないように、そして、全ての基板４を挿入した後に、これらを縮めることができるように、図示しないロックピンにてロックしておくことも可能である。
【００９８】
そして、図６（ｂ）に示すように、底板２７ａ・２７ｂ及び天板２８ａ・２８ｂが完全に縮んだときには、基板４は一対の接続棒２３ａ・２３ａによって挟持され、その結果、基板４は、基板保持面６の固定端側保持面６ａ側に挿入される。このときのカセット内部幅Ｗｃは基板長さＷｓよりも小さい状態であり、その結果、基板４の裏面が基板保持面６の奥側の固定端側保持面６ａと接触した状態で、基板４が保持される。
【００９９】
このとき、基板４は接続棒２３ａ・２３ａによる挟持によって湾曲する状態になるので、その湾曲に沿うように保持角度θａが決定されている。なお、基板４を取り出すときには、再び、図６（ａ）状態に戻す。
【０１００】
上記基板収納用カセット２０では、例えば、基板４を出し入れするときのカセット内部幅Ｗｄを３７０ｍｍとし、基板保持モードにおけるカセット内部幅Ｗｃを３４０ｍｍとし、保持部５・５の溝間隔Ｗｈを９ｍｍとし、保持角度θａを６０°とし、屈曲角度θｂを２１０°とし、自由端側保持面６ｂの長さを２０ｍｍとし、固定端側保持面６ａの長さを１０ｍｍとし、実施の形態１と同じプラスチック基板を２枚、図６（ａ）（ｂ）に示すように、収納したところ、いずれの基板４…も基板収納用カセット２０内で安定性良く保持され、互いに接触することなく収納することができた。
【０１０１】
したがって、この構造の基板収納用カセット２０は、フレキシブル性を有するプラスチック基板を収納するのに好適である。
【０１０２】
なお、本実施の形態においては、上記対向する一対の接続棒２３ａ・２３ａのうちの両方の保持部５・５における基板保持面６・６に、屈曲部７・７が形成されているが、必ずしもこれに限らず、上記対向する一対の接続棒２３ａ・２３ａのうちの少なくとも一方の保持部５における基板保持面６に屈曲部７を形成することが可能である。これによっても、一対の接続棒２３ａ・２３ａの保持部５・５における基板保持面６が全くないものに比べれば、基板４の出し入れ時の挿入、取り出しが容易となる。
【０１０３】
また、本実施の形態においては、基板４を基板収納用カセット２０に対して横方向に湾曲して収納したが、必ずしもこれに限定されず、例えば、基板４を縦方向に立設して収納する基板収納用カセット２０とすることも可能である。これによっても、基板４を縦方向に立設して湾曲した状態で安定して収納するができるとともに、基板４の出し入れ時に、底板２７ａ・２７ｂ及び天板２８ａ・２８ｂを引き伸ばして容易に収納することが可能となる。
【０１０４】
このように、本実施の形態の基板収納用カセット２０では、一対の接続棒２３ａ・２３ａは、基板４の出し入れ時にはその間隔であるカセット内部幅Ｗｃがカセット内部幅Ｗｄにまで広がるように変更可能となっていることにより、基板４を出し入れするときには、湾曲される基板４を平坦状にして出し入れすることができる。
【０１０５】
この結果、基板４を湾曲させて挿入するのではなく、通常の平坦状の基板４の状態で挿入することができるので、基板４を容易に出し入れすることができる。
【０１０６】
また、本実施の形態の基板収納用カセット２０では、一対の接続棒２３ａ・２３ａのうちの少なくとも一方の接続棒２３ａの保持部５には、屈曲部７が形成されているので、保持部５の自由端側を基板４の挿入方向と平行となるようにすることが可能となる。
【０１０７】
この結果、基板４の出し入れ時に、一対の接続棒２３ａ・２３ａのカセット内部幅Ｗｃを広げたときに、確実に、湾曲される基板４を平坦状にして出し入れすることができる。したがって、確実に、基板４を容易に出し入れすることができる。
【０１０８】
〔実施の形態３〕
本発明の他の実施の形態について図８及び図９に基づいて説明すれば、以下の通りである。なお、説明の便宜上、前記の実施の形態１及び実施の形態２の図面に示した部材と同一の機能を有する部材については、同一の符号を付し、その説明を省略する。
【０１０９】
本実施の形態のフレキシブル基板収納具は、前記実施の形態１の収納本体１に改良を加えたものとなっている。
【０１１０】
すなわち、本実施の形態のフレキシブル基板収納具としての収納本体３０は、図８（ａ）（ｂ）（ｃ）及び図９に示すように、収納本体３０の奥底板としての底面８に湾曲状の挿入溝としての湾曲溝９を付加した以外は、前記実施の形態１の収納本体１と同じである。
【０１１１】
具体的には、本実施の形態の収納本体３０には、底面８に複数の湾曲溝９…が形成されており、これら湾曲溝９…は互いに対向する２つの保持部５・５の間に、基板保持面６毎に、１本の割合で配置し、その形状は湾曲状となったプラスチック基板からなる基板４の形状にうまく沿うように決定される。
【０１１２】
そして、この底面８における湾曲溝９…に基板４…がそれぞれ挿入されることになる。
【０１１３】
このような収納本体３０内に基板４を収納すると、側面板３ａ・３ａにおける保持部５・５の基板保持面６・６によって基板４の相対向する２辺が保持されるとともに、さらに、湾曲溝９によっても基板４の別の１辺が保持される。すなわち、湾曲状である基板４に対して、計３辺が保持されることになる。このため、基板４はより安定な状態で収納本体３０内に収納される。
【０１１４】
例えば、前記実施の形態１の条件に加え、湾曲溝９の深さを３ｍｍとし、３６０ｍｍ×４６５ｍｍのプラスチック基板からなる基板４を対向する保持部５・５の各基板保持面６に２枚収納したところ、いずれの基板４・４も収納本体３０内で安定性良く自立して、互いに接触することなく収納することができた。
【０１１５】
このように、本実施の形態の収納本体３０では、底面８には、基板４の湾曲を案内する湾曲溝９…が形成されている。したがって、基板４…を収納したときに、基板４…の挿入方向奥側の辺を湾曲溝９…に挿入することにより、基板４…の挿入方向奥側に対しても保持機能が備わり、基板４…はより安定に収納されるようになる。
【０１１６】
〔実施の形態４〕
本発明の他の実施の形態について図１０及び図１１に基づいて説明すれば、以下の通りである。なお、説明の便宜上、前記の実施の形態１ないし実施の形態３の図面に示した部材と同一の機能を有する部材については、同一の符号を付し、その説明を省略する。
【０１１７】
本実施の形態のフレキシブル基板収納具は、前記実施の形態１の収納本体１に改良を加えたものとなっており、前記実施の形態３に近似している。
【０１１８】
すなわち、本実施の形態のフレキシブル基板収納具としての収納本体４０は、図１０（ａ）（ｂ）（ｃ）及び図１１に示すように、前記実施の形態３の湾曲溝９…の代わりに、収納本体４０の底面８に湾曲状の突起４１…を複数個付加した以外は、前記実施の形態１の収納本体１と同じである。
【０１１９】
具体的には、本実施の形態の収納本体４０には、底面８に複数の突起４１…が形成されており、これら突起４１…は湾曲状に配置され、基板４の湾曲形状にうまく沿うように決定される。
【０１２０】
これら突起４１…は、対向する保持部５・５の間に例えば５個ずつ形成されている。ただし、必ずしもこれに限らず、他の複数でもよい。
【０１２１】
また、これら突起４１…は、図１１に示すように、穴４２…に挿入されたものとすることができる。これにより、突起４１…の取り外しが可能になるとともに、底面８に形成する穴４２…の場所・数を選択することにより、突起４１…の場所・数も選択することが可能となる。また、この穴４２…を、底面８の全面に多数設けておくことによって、任意の穴４２…に突起４１…を挿入できるので、収納時に、湾曲に応じて配列を決定し、突起４１…の位置を決定することができる。
【０１２２】
このような収納本体４０内に基板４を収納すると、側面板３ａ・３ａにおける保持部５・５の基板保持面６・６によって基板４の相対向する２辺が保持され、さらに複数個の湾曲形状に配された突起４１…によって基板４の別の１辺が保持される。すなわち、湾曲状である基板４に対して、計３辺が保持されることになる。このため、基板４は、より安定な状態で収納本体４０内に収納される。
【０１２３】
例えば、前記実施の形態１の条件に加え、突起４１…の高さを３ｍｍとし、３６０ｍｍ×４６５ｍｍのプラスチック基板からなる基板４を対向する保持部５・５の各基板保持面６・６に２枚収納したところ、いずれの基板４・４も収納本体３０内で安定性良く自立して、互いに接触することなく収納することができた。
【０１２４】
このように、本実施の形態の収納本体４０では、底面８には、基板４の湾曲を案内する突起４１…が複数個形成されている。したがって、基板４を収納したときに、基板４の挿入方向奥側の辺を突起４１…の側面に当接させることにより、基板４の挿入方向奥側に対しても保持機能が備わり、基板４はより安定に収納されるようになる。
【０１２５】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的手段に含まれる。また、本発明では、フレキシブル基板収納具は収納本体と基板とからなるとすることもできる。
【０１２６】
【実施例】
本実施例においては、保持角度θａの最適値を求める実験について述べる。
【０１２７】
実験は、基板４に、軸方向の圧縮力を加えて基板幅（＝横辺３６０ｍｍ）を変化させ、その時々の縦辺の角度を測定した。
【０１２８】
使用した基板は以下の２通りである。
【０１２９】
〔基板の種類〕
・プラスチック基板  １枚
・  ガラス基板  １枚
〔基板の寸法〕
・プラスチック基板は０．２ｍｍ厚
・ガラス基板は０．７ｍｍ厚
なお、サイズはいずれの基板も同じであり、３６０ｍｍ横×４６５ｍｍ縦である。
【０１３０】
実験・測定方法は、図１２（ａ）（ｂ）（ｃ）に示すように、以下の通りである。
１．プラスチック基板を縦姿勢で水平な台の上に立てる。すなわち、１つの横辺（３６０ｍｍ）が台の面と接した状態。
２．基板の２つの縦辺（４６５ｍｍ）に力を加える。その結果、基板の２つの横辺（３６０ｍｍ）は湾曲する。
３．力を増すにつれて湾曲の程度は大きくなり、上から見た横辺の形状は「直線」→「弧（こ）」を経て、最後は「Ｕ字」になる。
４．横辺の形状が変化しても、「弧」の長さは常に３６０ｍｍである。一方で、「弦（げん）」の長さ（＝縦辺と縦辺とを結ぶ直線距離）は、３６０ｍｍよりも小さくなっていく。
５．「弦」の長さを変えていき（３６０ｍｍ→９４ｍｍ）、その時々の縦辺の角度（実施の形態で述べた保持角度θａ）を測定する。
６．次に、ガラス基板についても同様に１〜５を実施した。ただし、ガラス基板にはフレキシブル性が殆どないため、「弦」の長さは３６０ｍｍ→３５８ｍｍまでしか変えることができなかった。すなわち、３５５ｍｍまで変えようとすると、ガラス基板は割れてしまった。
【０１３１】
上記の実験・測定を行ったところ、プラスチック基板では図１３に示す結果となり、ガラス基板では図１４に示す結果となった。
【０１３２】
以上のことから、保持角度θａは、好ましくは、２０°〜７５°が良いことがわかった。
【０１３３】
また、この保持角度θａが２０°〜７５°となるように基板４を湾曲させるためには、基板長さＷｓと収納本体幅Ｗａとの関係は、２１０／３６０＜Ｗａ／Ｗｓ＜３５８／３６０とするのが好ましいことがわかった。これによって、基板４を安定して自立させることができる。
【０１３４】
【発明の効果】
本発明のフレキシブル基板収納具は、以上のように、収納本体の外形を構成する相対向する少なくとも一対の対向部材が、フレキシブル性を有する複数の基板を挟持することにより湾曲させて収納するように、その間隔を一定に保って設けられているものである。
【０１３５】
また、本発明のフレキシブル基板収納方法は、以上のように、収納本体の外形を構成する相対向する少なくとも一対の対向部材にて、フレキシブル性を有する複数の基板を挟持することにより湾曲させて収納する方法である。
【０１３６】
それゆえ、フレキシブル性を有する複数の基板が、湾曲した状態で収納される。このため、基板の曲げ剛性が大きくなることにより基板がもつ柔軟性が低減され、いわゆる腰が出てくる状態となる。その結果、基板自身が自立し易くなりフレキシブル基板収納具内で安定した収納が可能となる。
【０１３７】
この結果、プラスチック基板等のフレキシブル性を有する基板を、簡易、かつ確実に収納、保持し得るフレキシブル基板収納具及びフレキシブル基板収納方法を提供することができるという効果を奏する。
【０１３８】
また、本発明のフレキシブル基板収納具は、前記記載のフレキシブル基板収納具において、前記一対の対向部材における基板の収納状態での間隔は、挟持される基板の挟持方向長さよりも短いものである。
【０１３９】
また、本発明のフレキシブル基板収納方法は、前記記載のフレキシブル基板収納方法において、前記一対の対向部材おける基板の収納状態での間隔を、前記挟持される基板の挟持方向長さよりも短くする方法である。
【０１４０】
それゆえ、一対の対向部材における基板の収納状態での間隔は、挟持される基板の挟持方向長さよりも短いので、基板を収納すると、必然的に基板が湾曲する。
【０１４１】
この結果、収納される基板を容易に、かつ簡易な構造で湾曲させるフレキシブル基板収納具及びフレキシブル基板収納方法を提供することができるという効果を奏する。
【０１４２】
また、本発明のフレキシブル基板収納具は、前記記載のフレキシブル基板収納具において、前記各対向部材には、前記複数の基板を並べて保持するための保持部が形成されているものである。
【０１４３】
それゆえ、各対向部材には、複数の基板を並べて保持するための保持部が形成されているので、複数の基板を並べて、整理された状態で収納することができるという効果を奏する。
【０１４４】
また、本発明のフレキシブル基板収納具は、前記記載のフレキシブル基板収納具において、前記保持部は、対向部材に対して直角とは異なるように基板を保持すべく形成されているものである。
【０１４５】
それゆえ、保持部は、対向部材に対して直角とは異なるように基板を保持すべく形成されているので、対向する一対の対向部材と保持部とのなす角度を９０°以外とすることにより、湾曲した基板が保持部に沿うようになる。この結果、基板の湾曲形状をより維持し易くなり、基板と保持部との接触箇所において双方にかかる負荷も低減される。また、接触面における双方の摩擦等による発塵を抑制することができるという効果を奏する。
【０１４６】
また、本発明のフレキシブル基板収納具は、前記記載のフレキシブル基板収納具において、前記一対の対向部材は、前記基板の出し入れ時にはその間隔が広がるように変更可能となっているものである。
【０１４７】
それゆえ、一対の対向部材は、前記基板の出し入れ時にはその間隔が広がるように変更可能となっていることにより、基板を出し入れするときには、湾曲される基板を平坦状にして出し入れすることができる。
【０１４８】
この結果、基板を湾曲させて挿入するのではなく、通常の平坦状の基板の状態で挿入することができるので、基板を容易に出し入れすることができるという効果を奏する。
【０１４９】
また、本発明のフレキシブル基板収納具は、前記記載のフレキシブル基板収納具において、前記一対の対向部材のうちの少なくとも一方の対向部材の保持部には、各基板用屈曲部が形成されているものである。
【０１５０】
それゆえ、保持部の自由端側を基板の挿入方向と平行となるようにすることが可能となる。この結果、前記基板の出し入れ時に、一対の対向部材の間隔を広げたときに、確実に、湾曲される基板を平坦状にして出し入れすることができる。
【０１５１】
したがって、確実に、基板を容易に出し入れすることができるという効果を奏する。
【０１５２】
また、本発明のフレキシブル基板収納具は、前記記載のフレキシブル基板収納具において、前記一対の対向部材には、前記基板の挿入方向奥側に奥底板が設けられているとともに、上記奥底板には、上記基板の湾曲を案内する挿入溝が形成されているものである。
【０１５３】
それゆえ、基板を収納したときに、基板の挿入方向奥側の辺を挿入溝に挿入することにより、基板の挿入方向奥側に対しても保持機能が備わり、基板はより安定に収納されるようになるという効果を奏する。
【０１５４】
また、本発明のフレキシブル基板収納具は、前記記載のフレキシブル基板収納具において、前記一対の対向部材には、前記基板の挿入方向奥側に奥底板が設けられているとともに、上記奥底板には、上記基板の湾曲を案内する突起が複数個形成されているものである。
【０１５５】
それゆえ、基板を収納したときに、基板の挿入方向奥側の辺を突起の側面に当接させることにより、基板の挿入方向奥側に対しても保持機能が備わり、基板はより安定に収納されるようになるという効果を奏する。
【０１５６】
また、本発明のフレキシブル基板収納具は、前記記載のフレキシブル基板収納具において、前記基板は、立設して収納されるものである。
【０１５７】
それゆえ、平坦状の基板を収納するときに、湾曲により基板の剛性が大きくなる。このため、基板を安定して自立させることができ、特に、フレキシブル基板収納具に基板を収納して持ち運びする場合には、有用であるという効果を奏する。
【０１５８】
また、本発明のフレキシブル基板収納具は、前記記載のフレキシブル基板収納具において、前記一対の対向部材は、平板である。
【０１５９】
それゆえ、フレキシブル基板収納具を、フレキシブル基板収納容器として形成することができる。この結果、持ち運びが容易なフレキシブル基板収納容器を提供することができるという効果を奏する。
【図面の簡単な説明】
【図１】（ａ）は本発明における収納本体の実施の一形態を示すものであって、上記収納本体に収納される平坦状態の基板を示す平面図であり、（ｂ）は上記収納本体に収納されたときの湾曲状態の基板を示す平面図であり、（ｃ）は上記収納本体を示す平面図であり、（ｄ）は側面板による基板の挟持状態、及び保持部による基板の保持状態を示す要部拡大平面図である。
【図２】上記収納本体及び蓋部の構成を示す斜視図である。
【図３】上記収納本体に基板を挿入する状態を示す斜視図である。
【図４】上記収納本体に設けられた保持部における基板保持面の傾斜角度を示す平面図である。
【図５】基板が横向きに収納される場合の収納本体を示す斜視図である。
【図６】（ａ）は本発明におけるフレキシブル基板収納具の他の実施の形態を示すものであって、一対の接続棒の間隔が広がった状態の基板収納用カセットを示す正面図図であり、（ｂ）は上記一対の接続棒の間隔が縮んだ状態の基板収納用カセットを示す正面図図である。
【図７】上記基板収納用カセットの保持部の構造を示す要部正面図である。
【図８】（ａ）は本発明における収納本体のさらに他の実施の一形態を示すものであって、上記収納本体に収納される平坦状態の基板を示す平面図であり、（ｂ）は上記収納本体に収納されたときの湾曲状態の基板を示す平面図であり、（ｃ）は底面に湾曲溝が形成された上記収納本体を示す平面図である。
【図９】図８（ｃ）のＡ−Ａ線矢視正面図である。
【図１０】（ａ）は本発明における収納本体のさらに他の実施の一形態を示すものであって、上記収納本体に収納される平坦状態の基板を示す平面図であり、（ｂ）は上記収納本体に収納されたときの湾曲状態の基板を示す平面図であり、（ｃ）は底面に複数の突が形成された上記収納本体を示す平面図である。
【図１１】図１０（ｃ）のＢ−Ｂ線矢視正面図である。
【図１２】（ａ）は本発明における収納本体の保持部の傾斜角度を決定するに際しての実験を示すものであって、基板に弱い軸方向の圧縮力を加えない場合の基板を示す正面図であり、（ｂ）は上記基板に弱い軸方向の圧縮力を加えた場合の基板を示す正面図であり、（ｃ）は上記基板に強い軸方向の圧縮力を加えた場合の基板を示す正面図である。
【図１３】プラスチック基板の場合における収納本体の保持部の傾斜角度を決定するための実験の結果を示す特性図である。
【図１４】ガラス基板の場合における収納本体の保持部の傾斜角度を決定するための実験の結果を示す特性図である。
【図１５】（ａ）は従来の収納本体を示すものであって、上記収納本体に収納される平坦状態の基板を示す平面図であり、（ｂ）は上記収納本体を示す平面図である。
【図１６】上記収納本体に設けられた保持部における基板保持面の角度を示す平面図である。
【図１７】従来の他の収納本体を示す正面図である。
【符号の説明】
１    収納本体（フレキシブル基板収納具）
２    蓋部
３ａ  側面板（対向部材）
４    基板
５    保持部
６    基板保持面
７    屈曲部（各基板用屈曲部）
８    底面（奥底板）
９    湾曲溝（挿入溝）
１０    フレキシブル基板収納容器
２０    基板収納用カセット（フレキシブル基板収納具）
２３ａ  接続棒（対向部材）
２７ａ  底板（底面）
２８ａ  天板
３０    収納本体（フレキシブル基板収納具）
４０    収納本体（フレキシブル基板収納具）
４１    突起
４２    穴
Ｗａ  収納本体幅（間隔）
Ｗｃ  カセット内部幅（間隔）
Ｗｓ  基板長さ（基板の挟持方向長さ）
θａ  保持角度
θｂ  屈曲角度
【図１】
2004250084.tif 000003
【図２】
2004250084.tif 000004
【図３】
2004250084.tif 000005
【図４】
2004250084.tif 000006
【図５】
2004250084.tif 000007
【図６】
2004250084.tif 000008
【図７】
2004250084.tif 000009
【図８】
2004250084.tif 000010
【図９】
2004250084.tif 000011
【図１０】
2004250084.tif 000012
【図１１】
2004250084.tif 000013
【図１２】
2004250084.tif 000014
【図１３】
2004250084.tif 000015
【図１４】
2004250084.tif 000016
【図１５】
2004250084.tif 000017
【図１６】
2004250084.tif 000018
【図１７】
2004250084.tif 000019